(57)【要約】【課題】比較的厚手で伸縮性が高く、１本１本が比較的太い毛糸が編まれてなる生地などに確実に固定される金属ホックを提供する。【解決手段】凹部６に金属バネ８が設けられた雌ホック基体４と、かしめ凸部１１とフランジ状の円形基板１２とからなるハンシャ板１０を有するキャップ体９とを備えて編物素材からなる生地２に固定される雌ホック３と、ゲンコ１８を有する雄ホック基体１７と、かしめ凸部２２とフランジ状の円形基板２３とからなるハンシャ板２１とを有するホソ体２０とを備えて生地２に固定される雄ホック１６と、からなる金属ホック１において、雌ホック３及び雄ホック１６のそれぞれのハンシャ板１０，２１の円形基板１２，２３に、かしめ凸部１１，２２が突出した面に複数の尖端１５を有して尖端１５が環状に連続することで形成された複数の突起部１４を、かしめ凸部１１，２２を中心とする略同心円上に等間隔をあけて設けた。【選択図】図４
2014076160.tif 000002
【特許請求の範囲】
【請求項１】
扁平円筒形状の基部材（５）の略中央に表裏両面に開口（７ａ，７ｂ）が形成された凹部（６）が設けられ、該凹部の前記表面側の開口付近に金属バネ（８）が設けられた金属製の雌ホック基体（４）と、
かしめ凸部（１１）と該かしめ凸部の基端部からフランジ状に広がる円形基板（１２）とを備えた金属製のハンシャ板（１０）と、前記ハンシャ板における前記かしめ凸部が突出した面とは反対の面を覆うように設けられた金属製の被覆部材（１３）と、を備えたキャップ体（９）と、
を備え、前記雌ホック基体と前記キャップ体の間に生地（２）を挟んで、前記ハンシャ板の前記かしめ凸部を前記凹部に前記裏面の開口から挿入した後に該凹部の内部にて前記かしめ凸部を外側にカールさせることで前記生地に固定される雌ホック（３）と、
扁平球形状をなすとともに基端部側にクビレが形成されたゲンコ（１８）と、前記ゲンコの前記基端部からフランジ状に広がる円形基板（１９）と、を備えた金属製の雄ホック基体（１７）と、
かしめ凸部（２２）と該かしめ凸部の基端部からフランジ状に広がる円形基板（２３）とを備えた金属製のハンシャ板（２１）と、前記ハンシャ板における前記かしめ凸部が突出した面とは反対の面を覆うように設けられた金属製の被覆部材（２４）と、を備えたホソ体（２０）と、
を備え、前記雄ホック基体と前記ホソ体の間に生地（２）を挟んで、前記ハンシャ板の前記かしめ凸部を前記ゲンコの内部にて変形させることで前記生地に固定される雄ホック（１６）と、からなる雌雄結合構造の金属ホック（１）において、
前記雌ホック及び前記雄ホックのそれぞれの前記ハンシャ板の前記円形基板には、前記かしめ凸部が突出した面に複数の尖端（１５）を有し、該尖端が環状に連続することで形成された複数の突起部（１４）が前記かしめ凸部を中心とした略同心円上に等間隔をあけて設けられていることを特徴とする金属ホック。
【請求項２】
前記雌ホック（３）及び前記雄ホック（１６）が固定される前記各生地（２）は、所定粗さの編目を有する素材からなる生地であることを特徴とする請求項１記載の金属ホック。
【請求項３】
前記雌ホック基体（４）において前記基部材（５）の前記凹部（６）に設けられた前記金属バネ（８）が２本バネ式であることを特徴とする請求項１又は２記載のホック。
【請求項４】
前記ハンシャ板（１０，２１）には４つ乃至７つの前記突起部（１４）が設けられていることを特徴とする請求項１又は２又は３記載の金属ホック。
【発明の詳細な説明】
【技術分野】
【０００１】
本発明は、特に所定粗さの編目を有する編物素材からなる生地に好適に固定される雌雄結合構造の金属ホックに関する。
【背景技術】
【０００２】
雌雄結合構造のホックは、例えば衣類における前身頃の前打合せなどにて２つの生地（雌ホックが取り付けられた生地と雄ホックが取り付けられた生地）を相互に係合する手段としても用いられている。
【０００３】
一般に金属ホックは、雌ホックに設けられた凹部に雄ホックに設けられたゲンコを挿入することで雌雄結合される。また、金属ホックは、雌ホックと雄ホックは共に、かしめ凸部と、このかしめ凸部の基端部からフランジ状に広がる円形基板とからなるハンシャ板と呼ばれる部材を備えており、各ホックは、固定対象の生地を挟んで、ハンシャ板を各ホック基体（雌ホックであれば凹部が設けられた雌ホック基体、雄ホックであればゲンコが設けられた雄ホック基体）にかしめつけることで生地に固定される。また、金属ホックには、雌雄結合時のスナップ嵌めを実現させるとともに、雄ホックのゲンコを雌ホックの凹部に止めて雌雄結合状態を保持するために、雌ホックの凹部の開口付近にリングバネ式や２本バネ式などの金属バネが設けられている。
【０００４】
ところで、金属ホックは、生地に固定されたときにこの生地の面方向に回転してしまうことがあった。このような回転を防止するものとして例えば下記特許文献１に開示されるホックがある。このホックは、ボタンキャップ本体の裏面中央に形成された収納部に嵌合される取付部材（ハンシャ板）のフランジ部を有しており、ボタンキャップ本体の収納部の外周縁に形成されたかしめ部において、中心方向に折曲することによって略全面にわたってかしめられていて、そのかしめ部の生地と接触する面である表面に回転防止のための突部が設けられたものである。突部は、取付部材の略中央に突設された筒状部材を中心に放射状に設けられている。また、かしめ部の裏面には突部と対応する凹部が設けられている。このホックによれば、かしめ部の突部が生地に食い込むことによってホックの回転を防止することができる。
【０００５】
しかし、このような金属ホックをニット、メリヤス、ジャージーなどの編物素材からなる生地に用いた場合、ニット生地が比較的厚手で伸びやすく、且つ１本１本が比較的太い毛糸を編み込んでいることもあり、上述したような突起では生地の面方向に対する回転を十分に防止することができなかった。また、ホックは主に円形であり、ホックの回転によってホックの端縁が生地（毛糸）を切ってしまうことがあった。編物素材の生地においては１本の毛糸が切れるとそこから次々と毛糸がほどけてしまう。このような不具合があるため、従来は編物素材の生地に対しては一般的な金属ホックが使用されることはほとんどなく、主に下記特許文献２（特に当該文献の図５）などに開示されるようないわゆるアメリカンホックと呼ばれるホックが用いられていた。図８に示すように、アメリカンホックは、ハンシャ板１００の周縁部１００ａに複数の長いかしめ脚１０１が等間隔をあけて突設されており、これらのかしめ脚１０１が生地の編目に挿通されることで毛糸を切ることなくホックを生地に固定するものである。
【先行技術文献】
【特許文献】
【０００６】
【特許文献１】特許第３３８３９００号公報
【特許文献２】特開２００３−３１０３０９号公報
【発明の概要】
【発明が解決しようとする課題】
【０００７】
ところが、これまでは編物素材の生地からなる衣類には上述したようなアメリカンホックが使用されることがほとんどであったため、ホックやホックが取り付けられる衣類のデザインが限定されることとなっていた。そのため、衣類製作にあたっては、編物素材の生地に対しても、２本バネホックなどの金属ホックを用いたいという要望があった。
【０００８】
さらに、近年は衣類などの生地に様々な性質の素材を用いることができるようになっている。その中にはこれまでの生地よりも更に伸縮性の高いものがあり、このような伸縮性の高い生地に対しても、固定後の回転を抑えたうえで様々なバリエーションを実現させるためにリングバネや２本バネなどの金属ホックを用いたいという要望がある。
【０００９】
そこで本発明は、上記状況に鑑みてなされたものであり、ニットなどの編物素材の生地のような比較的厚手で伸縮性が高く、１本１本が比較的太い毛糸が編まれてなる生地に対して回転を抑えて確実に固定されるとともに、衣類などにこれまで以上にバリエーションをつけることができる金属ホックを提供することを目的としている。
【課題を解決するための手段】
【００１０】
次に、上記の課題を解決するための手段を、実施の形態に対応する図面を参照して説明する。
本発明に係る請求項１記載の金属ホックは、扁平円筒形状の基部材５の略中央に表裏両面に開口７ａ，７ｂが形成された凹部６が設けられ、該凹部６の前記表面側の開口７ａ付近に金属バネ８が設けられた金属製の雌ホック基体４と、
かしめ凸部１１と該かしめ凸部１１の基端部からフランジ状に広がる円形基板１２とを備えた金属製のハンシャ板１０と、前記ハンシャ板１０における前記かしめ凸部１１が突出した面とは反対の面を覆うように設けられた金属製の被覆部材１３と、を備えたキャップ体９と、
を備え、前記雌ホック基体４と前記キャップ体９の間に生地２を挟んで、前記ハンシャ板１０の前記かしめ凸部１１を前記凹部６に前記裏面の開口７ｂから挿入した後に該凹部６の内部にて前記かしめ凸部１１を外側にカールさせることで前記生地２に固定される雌ホック３と、
扁平球形状をなすとともに基端部側にクビレが形成されたゲンコ１８と、前記ゲンコ１８の前記基端部からフランジ状に広がる円形基板１９と、を備えた金属製の雄ホック基体１７と、
かしめ凸部２２と該かしめ凸部２２の基端部からフランジ状に広がる円形基板２３とを備えた金属製のハンシャ板２１と、前記ハンシャ板２１における前記かしめ凸部２２が突出した面とは反対の面を覆うように設けられた金属製の被覆部材２４と、を備えたホソ体２０と、
を備え、前記雄ホック基体１７と前記ホソ体２０の間に生地２を挟んで、前記ハンシャ板２１の前記かしめ凸部２２を前記ゲンコ１８の内部にて変形させることで前記生地２に固定される雄ホック１６と、からなる雌雄結合構造の金属ホック１において、
前記雌ホック３及び前記雄ホック１６のそれぞれの前記ハンシャ板１０，２１の前記円形基板１２，２３には、前記かしめ凸部１１，２２が突出した面に複数の尖端１５を有し、該尖端１５が環状に連続することで形成された複数の突起部１４が前記かしめ凸部１１，２２を中心とした略同心円上に等間隔をあけて設けられていることを特徴としている。
【００１１】
このような構成によれば、金属ホック１において、雌ホック３と雄ホック１６をそれぞれかしめによって生地２に固定させるためのハンシャ板１０，２１に複数の突起部１４が設けられていることにより、各突起部１４の複数の尖端１５が生地２を押さえ付けることによって各ホック３，１６の生地２の面方向への回転を確実に防止することができ、これまではホックの回転を抑えることが困難であった伸縮性の高い生地に対して好適に固定されるようになる。また、そのためのハンシャ板１０，２１の加工も容易である。
【００１２】
請求項２記載の金属ホックは、前記雌ホック３及び前記雄ホック１６が固定される前記各生地２は、所定粗さの編目を有する編物素材からなる生地であることを特徴としている。
【００１３】
このような構成によれば、雌ホック３と雄ホック１６のそれぞれのハンシャ板１０，２１は、これらのハンシャ板１０，２１に設けられた突起部１４の尖端１５が形成する山谷のうちの谷部１５ｂが編物素材からなる生地２を構成する毛糸２ａの１本乃至数本を抑え込むようになる。これにより、ホック３，１６の回転を防止するとともに、毛糸２ａを切らないようにこのホック３，１６を生地２に固定させることができる。
【００１４】
請求項３記載の金属ホックは、前記雌ホック基体４において前記基部材５の前記凹部６に設けられた前記金属バネ８が２本バネ式であることを特徴としている。
【００１５】
このような構成によれば、編物素材からなる生地２などのようなこれまで金属ホックが用い難かった生地に対して、２本バネ式のホックを採用することが可能となる。
【００１６】
請求項４記載の金属ホックは、前記ハンシャ板１０，２１には４つ乃至７つの前記突起部１４が設けられていることを特徴としている。
【００１７】
このような構成によれば、ホック３，１６は、回転に対する抑制力のバランスがよいものとなる。
【発明の効果】
【００１８】
本発明に係る金属ホックによれば、雌ホックと雄ホックをそれぞれ生地に固定させるためのハンシャ板に複数の突起部が設けられていることにより、各突起部の複数の尖端によって各ホックの生地の面方向への回転を防止することができるとともに、ハンシャ板に設けられた突起部の尖端が形成する山谷の谷部分がニット生地を構成する毛糸の１本乃至数本を抑え込むため、毛糸を切らないようにこのホックをニットなどの編物素材からなる生地に固定させることができる。これにより、これまではニットなどの生地にはアメリカンホックのような特殊なホックを使用するしかなかったものが、２本バネ式のホックを採用することが可能になるなど、衣類などにこれまで以上にバリエーションをつけることができるようになる。また、従来のアメリカンホックなどに比べて加工が容易であるため、生産性が高まる。
【図面の簡単な説明】
【００１９】
【図１】本発明に係る金属ホック（雌ホックと雄ホック）の実施形態が生地に固定された状態を示す斜視図である。
【図２】雌ホックを示す分解断面図である。
【図３】雄ホックを示す分解断面図である。
【図４】（ａ）雌ホックが備えるハンシャ板を示す斜視図である。  （ｂ）雄ホックが備えるハンシャ板を示す斜視図である。
【図５】（ａ）雌ホック及び雄ホックが備えるハンシャ板の加工前を示す平面図である。  （ｂ）雌ホック及び雄ホックが備えるハンシャ板の加工後を示す平面図である。
【図６】金属ホック（雄ホック）が生地に固定された状態を示す断面図である。
【図７】ハンシャ板が生地の毛糸を抑え込んだ状態を説明するための図である。
【図８】従来のホックにおけるハンシャ板を示す斜視図である。
【発明を実施するための形態】
【００２０】
以下、本発明の実施形態を図面を参照して具体的に説明する。
図１に示すように、この実施形態（金属ホック１）は、雌雄結合構造のホックであり、毛糸２ａが編み込まれることで形成され、所定粗さ以上の編目２ｂを有するニット、メリヤス、ジャージーなどの編物素材からなる生地２（以下、単に生地という）を用いた衣類において、前身頃の前打合せなどにて２つの生地（雌ホック３が取り付けられた生地２と雄ホック１６が取り付けられた生地２）を相互に係合する手段などに用いられるものである。なお、図１及び７には生地２の毛糸２ａと編目２ｂを概略的にあらわしている。
【００２１】
金属ホック１は、雌ホック３と、雄ホック１６とからなる。図２に示すように、雌ホック３は、雌ホック基体４と、キャップ体  とを備えている。図１及び２に示すように、雌ホック基体４は、扁平円筒形状の金属製の基部材５を本体としており、基部材５の略中央には円形の凹部６が設けられている。凹部６は、後述する雄ホック１６と対向する面となる表面に開口７ａが形成されているが、その反対側の面となる裏面にも開口７ｂが形成されている。また、雌ホック基体４には２本バネ式の金属バネ８が設けられている。金属バネ８は、凹部６の表面側の開口７ａ付近に２本の金属線材８ａ，８ａが平行に配置されるように設けられている。
【００２２】
図２に示すように、キャップ体９は、ハンシャ板１０と、被覆部材１３とを備えている。図２及び４（ａ）に示すように、ハンシャ板１０は、金属製であり、円筒状のかしめ凸部１１と、このかしめ凸部１１の基端部からフランジ状に広がる円形基板１２とを備えている。被覆部材１３は、円板状の金属部材であり、ハンシャ板１０におけるかしめ凸部１１が突出した面とは反対側の面を覆うように設けられるとともに、ハンシャ板１０の周縁部を包み込むようにしてこのハンシャ板１０と略一体となっている。
【００２３】
図４（ａ）に示すように、ハンシャ板１０の円形基板１２におけるかしめ凸部１１が突出している面には、このかしめ凸部１１を中心とした略同心円上に等間隔をあけて複数の突起部１４が設けられている。突起部１４の数は４つ乃至７つが好ましく、この実施形態においては、６つの突起部１４が設けられている。突起部１４の数については、金属ホック１（雌ホック３）のサイズなどに応じて製造過程において適宜選択することができる。突起部１４が４つ乃至７つあることにより、雌ホック３は面方向の回転に対する抑制力のバランスがよいものとなる。また、各突起部１４は、複数の尖端１５を有している。なお、この実施形態では４つの尖端１５を有している。尖端１５は、突起部１４となるときに略Ｖ字形の山部１５ａと谷部１５ｂが環状をなすように設けられている。なお、この場合の環状とは、山部１５ａと谷部１５ｂが交互に連続して周回するように設けられることをいう。
【００２４】
図５（ａ）に示すように、この実施形態では、突起部１４は、円形基板１２の所定位置に略Ｘ字形の切れ目１４ａが形成された後に、この切れ目１４ａに対してパンチプレス加工などを施すことにより、図５（ｂ）に示すように、尖端１５を設けることができる。このとき、尖端１５は、突起部１４全体として４つに割れたような形状となる。なお、この実施形態では、円形基板１２から直接尖端１４が設けられているが、例えば円形基板１２に突設された筒状部などを介してこの筒状部の先端側に尖端１５が設けられるようにしてもよい。
【００２５】
図２に示すように、雌ホック３を生地２に取り付けるときは、生地２を間に挟んで、生地２の一方の面（雄ホック１６と対向する面）に雌ホック基体４を配置するとともに、生地２の他方の面にキャップ体９を配置する。そして、かしめ凸部１１を凹部６に裏面側の開口７ｂから挿入した後にこの凹部７の内部にてかしめ凸部１１の先端部をかしめて外側にカールさせることで生地２に固定する。
【００２６】
図３に示すように、雄ホック１６は、雄ホック基体１７と、ホソ体２０とを備えている。図１及び３に示すように、雄ホック基体１７は、金属製であり、扁平球形状をなすとともにその基端部側にクビレが形成されたゲンコ１８と、ゲンコ１８の基端部からフランジ状に広がる円形基板１９とを備えている。ゲンコ１８は雌ホック３の凹部６に挿入可能な径に形成されており、ゲンコ１８のクビレ部分は金属バネ８の２本の金属線材８ａ，８ａの間に収まるように縮径されている。
【００２７】
図３に示すように、ホソ体２０は、ハンシャ板２１と、被覆部材２４とを備えている。図３及び４（ｂ）に示すように、ハンシャ板２１は、金属製であり、先端部が閉じられるとともに、先端部が突出方向に潰れやすいように側周面を周回する溝２２ａが設けられたかしめ凸部２２と、このかしめ凸部２２の基端部からフランジ状に広がる円形基板２３とを備えている。被覆部材２４は、円板状の金属部材であり、ハンシャ板２１におけるかしめ凸部２２が突出した面とは反対側の面を覆うように設けられるとともに、ハンシャ板２１の周縁部を包み込むようにしてこのハンシャ板２１と略一体となっている。
【００２８】
図４（ｂ）に示すように、ハンシャ板２１の円形基板２３におけるかしめ凸部２２が突出している面には、上述した雌ホック３のハンシャ板１０と同様に、かしめ凸部２２を中心とした略同心円上に等間隔をあけて複数の突起部１４が設けられている。突起部１４の数は４つ乃至７つが好ましく、この実施形態においては、６つの突起部１４が設けられている。突起部１４の数については、金属ホック１（雄ホック１６）のサイズなどに応じて製造過程において適宜選択することができる。突起部１４が４つ乃至７つあることにより、雌ホック１６は面方向の回転に対する抑制力のバランスがよいものとなる。また、各突起部１４は、複数の尖端１５を有している。なお、この実施形態では４つの尖端１５を有している。尖端１５は、突起部１４となるときに略Ｖ字形の山部１５ａと谷部１５ｂが環状をなすように設けられている。なお、この場合の環状とは、山部１５ａと谷部１５ｂが交互に連続して周回するように設けられることをいう。
【００２９】
ハンシャ板２１においても、図５（ａ）に示すように、突起部１４は、円形基板２３の所定位置に略Ｘ字形の切れ目１４ａが形成された後に、この切れ目１４ａに対してパンチプレス加工などを施すことにより、図５（ｂ）に示すように、尖端１５を設けることができる。このとき、尖端１５は、突起部１４全体として４つに割れたような形状となる。なお、円形基板２３から直接尖端１４が設けられているが、例えば円形基板２３に突設された筒状部などを介してこの筒状部の先端側に尖端１５が設けられるようにしてもよい。
【００３０】
図３に示すように、雄ホック１６を生地２に取り付けるときは、生地２を間に挟んで、生地２の一方の面（雌ホック３と対向する面）に雄ホック基体１７を配置するとともに、生地２の他方の面にホソ体２０を配置する。そして、図６に示すように、かしめ凸部２２をゲンコ１８の内部にてかしめ凸部２２の先端部をかしめて潰すように変形させることで生地２に固定する。
【００３１】
そして、上述した雌ホック３と雄ホック１６は、雌ホック３の凹部６に雄ホック１６のゲンコ１８を挿入することで雌雄結合される。このとき、ゲンコ１８のクビレ部分が金属バネ８の２本の金属線材８ａ，８ａの間でゲンコ１８の挿脱方向が規制されることにより、雌雄結合状態が保持される。
【００３２】
ここで、図６及び７を参照して雌ホック３及び雄ホック１６（図６には雄ホック１６を例示）が生地２に固定された状態について説明する。生地２に固定された状態においては、雄ホック１６（又は雌ホック３）は各ハンシャ板２１（１０）の突起部１４の尖端１５の谷部１５ｂに１本乃至数本の毛糸２ａを挟み込んでいる。また、かしめ凸部２２（１１）は生地２の編目２ｂに挿通されている。したがって、生地２を介してハンシャ板２１（１０）と雄ホック基体１７（又は雌ホック基体４）をかしめたときには、尖端１５の谷部１５ｂで生地２の毛糸２ａを挟み込むことで金属ホック１（雌ホック３、雄ホック１６）の生地２の面方向の回転を防止することができるとともに、毛糸２ａを切ることもない。
【００３３】
上述した実施形態によれば、雌ホック３と雄ホック１６をそれぞれかしめによって生地２に固定させるための各ハンシャ板１０，２１に複数の突起部１４が設けられていることにより、各突起部１４の複数の尖端１５が生地２（毛糸２ａ）を押さえ付けることによって各ホック３，１６の生地２の面方向への回転を確実に防止することができ、これまではホックの回転を抑えることが困難であった伸縮性の高い生地に対して好適に固定されるようになる。また、そのためのハンシャ板１０，２１における突起部１４を設けるための加工も容易である。
【００３４】
また、雌ホック３と雄ホック１６のそれぞれのハンシャ板１０，２１は、これらのハンシャ板１０，２１に設けられた突起部１４の尖端１５が形成する山谷のうちの谷部１５ｂが生地２を構成する毛糸２ａの１本乃至数本を抑え込むようになる。これにより、各ホック３，１６の回転を防止するとともに、毛糸２ａを切らないようにこのホック３，１６を生地２に固定させることができる。
【００３５】
さらに、生地２などのようなこれまで金属ホックが用い難かった生地に対して、２本バネ式の金属ホック１を採用することが可能となる。
【符号の説明】
【００３６】
１…金属ホック、２…（編物素材からなる）生地、３…雌ホック、４…雌ホック基体、５…基部材、６…凹部、７ａ…（表面側）開口、７ｂ…（裏面側）開口、８…金属バネ、９…キャップ体、１０，２１…ハンシャ板、１２，２３…円形基板、１３，２４…被覆部材、１４…突起部、１５…尖端、１６…雄ホック、１７…雄ホック基体、１８…ゲンコ、１９…円形基部、２０…ホソ体
【図１】
2014076160.tif 000003
【図２】
2014076160.tif 000004
【図３】
2014076160.tif 000005
【図４】
2014076160.tif 000006
【図５】
2014076160.tif 000007
【図６】
2014076160.tif 000008
【図７】
2014076160.tif 000009
【図８】
2014076160.tif 000010